(57)【要約】【課題】移動式水洗便所用として好適な洗浄水兼汚物及び廃水貯留タンクを提供する。【解決手段】洗浄水兼汚物及び廃水貯留タンク１の内部は、弾力性のある隔膜シート１４によって洗浄水保持スペース２と、汚物保持スペース３とに区分されている。洗浄水保持スペース２には、水入り口４と水出口６が設けられ、汚物保持スペース３には、汚物取入れ口８と汚物出口１０と水出口１２とが設けられている。水出口６には水出口弁７が、汚物取入れ口８には汚物入り口弁９が、水出口６には水出口弁１３がそれぞれ設けられている。また、水入り口４には水入り口キヤップ５が、汚物出し口１０には汚物出し口キヤップ１１がそれぞれ設けられている。【選択図】図２
2017040154.tif 000002
【特許請求の範囲】
【請求項１】
内部に洗浄水保持スペース２と汚物保持スペース３を有する移動式水洗便所用洗浄水兼汚物及び廃水貯留タンクであって、
前記貯留タンク１の洗浄水保持スペース２側の上壁には、前記洗浄水保持スペース２内へ外部から洗浄水を入れるため開閉可能な水入り口キャップ５を嵌めた少なくとも一つの水入り口４があり、
前記貯留タンク１の前記洗浄水保持スペース２の側壁下部には、便器洗浄のため前記洗浄水保持スペース２からの洗浄水の流路を開閉する水出口弁７を備えた少なくとも一つの水出口６があり、
前記貯留タンク１の前記洗浄水保持スペース２に対向する前記汚物保持スペース３側の側壁上部には、開弁された時前記汚物保持スペース３内へ汚物を流入させ、閉弁された時前記汚物保持スペース３内への汚物の流入を止める汚物入口弁９を備えた汚物入口８があり、
前記貯留タンク１の前記汚物保持スペース３側の上壁には、前記汚物保持スペース３内から外部へ汚物を取り出すため開閉可能な汚物出し口キャップ１１を嵌めた少なくとも一つの汚物出し口１０があり、
前記貯留タンク１の前記洗浄水保持スペース２に対向する前記汚物保持スペース３側の側壁下部には、前記汚物保持スペース３から廃水を流出させるための水出口弁１３を備えた少なくとも一つの水出口１２があり、
前記貯留タンク１の前記洗浄水保持スペース２と前記汚物保持スペース３の間には、前記洗浄水保持スペース２内に蓄積される洗浄水の量と前記汚物保持スペース３内に蓄積される汚物の量の変化を調節するため、弾力性のある隔膜シート１４が設けられていることを特徴とする、移動式水洗便所用洗浄水兼汚物及び廃水貯留タンク。
【請求項２】
前記隔膜シート１４は、ゴムまたはプラスチックからなり上端縁が前記貯留タンク１の上壁内面中央部に、下端縁が前記貯留タンク１の底壁内面中央部にそれぞれ固着され、両側縁は前記貯留タンク１の対向側壁内面にそれぞれ液蜜的に摺接していていることを特徴とする請求項１に記載の移動式便所用洗浄水兼汚物及び廃水貯留タンク。
【発明の詳細な説明】
【技術分野】
【０００１】
本発明は、特に移動式水洗便所用として好適に用いられ得る洗浄水兼汚物及び廃水貯留タンクに関する。
【背景技術】
【０００２】
移動式水洗便所において、便器からの汚物と廃水は便器に接続されたセメント製のタンク内へ放出されて一旦貯留され、しばらくして汚物から水分が分離し、最少量の水分を含んだ汚物のみがセメント製のタンク内に残り、水分をセメント製タンクから他所へ流し去るようになっている。そして便器を洗うための洗浄水は別に蓄えられていて、便器を洗浄するため放水されるようになっている。
【０００３】
本発明が対象とする移動可能の水洗便所は、汚物保持基台と、汚物保持基台上に設けられていて水洗便器を埋設した洗浄水貯留タンクと、汚物保持基台上に設置されていて水洗便器から汚物保持基台内へ汚物を輸送するための第１ダイアフラムポンプと、汚物保持基台上に設置されていて洗浄水貯留タンクから便器へ洗浄水を輸送するための第２ダイアフラムポンプと、前記第１ダイアフラムポンプと第２ダイアフラムポンプを同時に作動させ得る足踏みペダルとを備えている。
【発明の概要】
【発明が解決しようとする課題】
【０００４】
本発明の目的は、単一のタンク内に、洗浄水貯留用のスペースと水洗便器からの汚物及び廃水貯留用のスペースとを独立して組み合わせ得る貯留タンクを創出することにある。
【課題を解決するための手段】
【０００５】
上記目的を達成するために、本発明による移動式水洗便所用洗浄水兼汚物及び廃水貯留タンクは、洗浄水貯留スペース側の上壁に、洗浄水貯留スペース内へ外部から洗浄水を入れるため開閉可能な水入り口キャップを嵌めた少なくとも一つの水入り口があり、前記洗浄水貯留スペースを形成する側壁下部に、便器洗浄のため前記洗浄水貯留スペースからの洗浄水の流路を開閉する水出口弁を備えた少なくとも一つの水出口があり、前記洗浄水貯留スペースに対向する前記汚物貯留スペース側の側壁上部には、開弁された時前記汚物及び廃水貯留スペース内へ汚物及び廃水を流入させ、閉弁された時前記汚物及び廃水貯留スペース内への汚物及び廃水の流入を止める汚物入口弁を備えた汚物入口があり、前記貯留タンクの前記汚物貯留スペース側の上壁には、前記汚物貯留スペース内から外部へ汚物を取り出すため開閉可能な汚物出し口キャップを嵌めた少なくとも一つの汚物出し口があり、前記貯留タンクの前記洗浄水保留スペースに対向する前記汚物貯留スペース側の側壁下部には、前記汚物貯留スペースから水を流出させるための水出口弁を備えた少なくとも一つの水出口があり、前記貯留タンクの前記洗浄水貯留スペースと前記汚物及び廃水貯留スペースの間には、前記洗浄水貯留スペース内に蓄積される洗浄水の量と前記汚物及び廃水貯留スペース内に貯留される汚物の量の変化を調節するため、弾力性のある隔膜シートが設けられていることを特徴とする。
【０００６】
また、本発明によれば、前記隔膜シートはプラスチックからなっていて、上端縁が前記貯留タンクの上壁内面中央部に、下端縁が前記貯留タンクの底壁内面中央部にそれぞれ固着され、両側縁は前記貯留タンクの対向側壁内面にそれぞれ液密的に摺接していていることを特徴とする。
【発明の効果】
【０００７】
本発明によれば、便所全体をコンパクトに構成することを可能にし、且つ使用後の便器の洗浄及び汚物の貯留槽への輸送を、電力を使用することなく使用者による足踏みペダルの操作により確実に行い得るように構成することを可能にするから、設置場所に制限を受けることなく、極めて便利に使用し得る、移動可能の水洗便所を提供することが出来る。また、便所全体は、上部及び周囲を板等で簡単に包囲することが出来るから、使用者のプライバシーは完全に守られ、使用勝手の良い移動可能の便所を提供することが可能となる。
【図面の簡単な説明】
【０００８】
【図１】本発明に係る洗浄水兼汚物及び廃水貯留タンクが適用される移動式水洗便所の一例を示す斜視図である。
【図２】本発明による洗浄水兼汚物及び廃水貯留用タンクの組合せを示す図である。
【図３】洗浄水貯留用スペースが満杯で汚物及び廃水貯留用スペース内への汚物の搬入待機状態にある、本発明による洗浄水兼汚物及び排水貯留用タンクの組合せを示す図である。
【図４】汚物及び排水貯留用スペースが満杯で洗浄水との置換待機状態にある、本発明による洗浄水兼汚物及び廃水貯留用タンクの組合せを示す図である。
【発明を実施するための形態】
【０００９】
以下、本発明の実施の態様を図示した実施例に基づき説明するが、実施例の説明に先立ち、図１を参照して本発明に係る洗浄水兼汚物及び排水貯留用タンクが適用されるべき移動式水洗便所の一構成例を説明する。図中、１０１は便器、１０２は便器１０１を支持し洗浄水を貯留する洗浄水貯留タンク、１０３は洗浄水貯留タンク１０２へ洗浄水を供給するための給水口を覆うカバー、１０４は便器１０１内へ洗浄水を供給するための給水弁、１０５は洗浄水貯留タンク１０２を支持し内部に汚物及び廃水を貯留するタンクを兼ねた基台、１０６は基台１０５内の汚物を放出するための汚物放出口、１０７は基台１０５内の廃水を放出するための下水管、１０８は基台１０５上に設置された汚物輸送用ダイフラムポンプ、１０９は汚物輸送用ダイフラムポンプ１０８の架台上に設置された給水用ダイアフラムポンプ、１１０は汚物輸送用ダイフラムポンプ１０８と給水用ダイアフラムポンプ１０９を同時作動させ得るように構成した足踏みペダル、１１１は便器１０１内の汚物及び廃水を汚物輸送用ダイフラムポンプ１０８へ輸送するための汚物入り口管、１１２は汚物輸送用ダイフラムポンプ１０８内の汚物及び廃水を基台１０５内の汚物及び廃水を貯留するタンク内へ輸送するための汚物輸送管、１１３は給水用ダイフラムポンプ１０９を介して洗浄水貯留タンク１０２から給水弁１０４へ洗浄水を輸送するための洗浄水輸送管、１１４は基台１０５上に設置されていて洗浄水貯留タンク１０２を覆うと共に汚物入り口管１１１及び洗浄水輸送管１１３を支持するフレームカバー、１１５は基台１０５上に設置されて水洗便所全体を覆うボックス、１１６はボックス１１５の一側壁を構成する開閉可能の入口ドアである。
【００１０】
上記の移動可能の水洗便所は、用便後使用者が足踏みペダル１１０を踏み込めば、汚物輸送用ダイフラムポンプ１０８内の汚物及び廃水は押し出されて、汚物輸送管１１２を介して基台１０５内のタンク内へ送り込まれ、また、給水用ダイフラムポンプ１０９内の洗浄水は押し出されて、洗浄水輸送管１１３及び給水弁１０４を介して便器１０１内へ供給され、便器１０１内を洗浄する。そして、足踏みペダル１１０の踏み込みを解除すれば、汚物入り口管１１１を介して汚物輸送用ダイフラムポンプ１０８内に汚物及び廃水が吸引され、他方、洗浄水輸送管１１３を介して給水用ダイフラムポンプ１０９内へ洗浄水が吸引されて、ダイアフラムポンプ１０８及び１０９の１回の作動を終了する。
【００１１】
図２は、本発明に係る洗浄水兼汚物及び廃水貯留用タンクの組合せを示していて、１は、洗浄水と水洗便器１０１からの汚物及び廃水とを組み合わせて貯留し得る、洗浄水保持スペース２と汚物及び廃水保持スペース３とを含む密閉構造体又はコンテナとして構成された組合せ貯留タンクである。
【００１２】
この組合せ貯留タンク１の洗浄水保持スペース２の一部には、外側から洗浄水保持スペース２内へ水を入れるための少なくとも一つの水入り口４が設けられている。
【００１３】
水入り口４の外端部には、水入り口４を開閉するのに用いられる水入り口キャップ５が嵌着されている。このキヤップ５は、洗浄水保持スペース２内へ外の水を入れるために開けられ、又は洗浄水保持スペース２内へ外から水を入れた後閉じられる。
【００１４】
この組合せ貯留タンク１の洗浄水保持スペース２側の他の部分には、少なくとも一つの水出口６があり、これは洗浄水保持スペース２から水を放出させるための孔である。
【００１５】
水出口６の一端には、水出口６に嵌着可能の水出口弁７がある。この水出口弁７は、便器洗浄のため水出口６を介して洗浄水を放出するため開弁され、或いは、水出口６を介して流出する水を止めるため閉じられ得る。
【００１６】
この組合せ貯留タンク１の汚物保持スペース３側の側壁上部には、水洗便器１０１から汚物保持スペース３内へ汚物及び廃水を受け入れるための少なくとも一つの汚物取入れ口８が設けられている。
【００１７】
汚物取入れ口８の一端には、汚物取入れ口８に嵌着可能の汚物入り口弁９がある。この汚物入り口弁９は、水洗便器１０１から汚物保持スペース３内へ排出された汚物を受け入れるため開弁されるか、或いは汚物保持スペース３内への汚物の排出を止めるため閉弁され得る。
【００１８】
組合せ貯留タンク１の汚物保持スペース３側の上壁の一部には、少なくとも一つの汚物出し口１０があるが、それは、汚物保持スペース３が一杯になった時に汚物保持スペース３から汚物を汲み出すか、又は、汚物保持スペース３の内部を洗浄するため外から水を入れるために設けられている。
【００１９】
汚物出し口１０の外端縁には、汚物出し口１０を開閉するのに使用され得る汚物出し口キヤップ１１が嵌着されている。このキヤップ１１は、汚物保持スペース３から汚物を汲み出す時に開けられ、汚物保持スペース３から総ての汚物が汲み出された時に閉じられる。
【００２０】
組合せ貯留タンク１の汚物保持スペース３側の側壁下部には、汚物保持スペース３内から廃水を放出するための少なくとも一つの水出口１２がある。
【００２１】
この水出口１２には、水出口１２を開閉するため嵌着された水出口弁１３がある。この水出口弁１３は、汚物保持スペース３から廃水を放出するため開弁され、汚物保持スペース３から廃水が放出された後閉弁され得る。
【００２２】
組み合わせ貯留タンク１内の洗浄水保持スペース２と汚物保持スペース３の間には、洗浄水保持スペース２と汚物保持スペース３の容積変化即ち洗浄水保持スペース２内の水と汚物保持スペース３内の汚物及び廃水の量を調節する、弾力性のある隔膜シート１４が設けられている。この隔膜シートは、好ましくはゴム又は合成樹脂からなっていて、上縁１４a及び下縁１４bは組合せ貯留タンク１の上壁及び下壁内面中央部にそれぞれ固着されており、両側縁は貯留タンク１の側壁内面に実質上液蜜的に移動可能に摺接している。
【００２３】
図３は、洗浄水が満たされて洗い流される汚物の輸送を待っている間の本発明による組合せ貯留タンク１の状態を示している。この場合、汚物保持スペース３内の汚物は汚物出し口１０から取り出され、新しく洗い流された汚物が汚物入口８を介して受け入れられ得る。
【００２４】
洗浄水保持スペース２内へは、水入り口４を介して外部から洗浄用水が入れられ、そして水出口６を介して洗浄用として水洗便器１０１内へ放出され、洗浄水保持スペース２内の水量が汚物保持ペース３内の汚物量よりも多くなった時、洗浄水保持スペース２を汚物保持スペース３から分離している隔膜シート１４を汚物保持スペース３側へ向けて押し動かす。
【００２５】
図４は、満杯の汚物兼廃水保持スペース３を洗浄水の供給により置換するのを待っている間の本発明による組合せ貯留タンク１内の様子を示している。汚物及び廃水は、汚物出し口１０を介して外部へ取り出される直前まで、汚物入り口８を経て水洗便器１０１から汚物保持スペース３内へ送り込まれ得る。洗浄水保持スペース２からの水は、水出口６を経て便器１０１を洗浄するため放出され、その後、水入り口４を介して外部から洗浄水保持スペース２内へ洗浄用水が入れられる。
【００２６】
また、汚物保持スペース３内の汚物の量が洗浄水保持スペース２内の水の量よりも多くなった時、汚物保持スペース３から洗浄水保持スペース２を隔離している隔膜シート１４が、洗浄水保持スペース２側へ押し動かされる（図４参照）。
【００２７】
本発明による洗浄水兼汚物及び廃水貯留タンクの特徴は、汚物保持スペース３が完全に一杯になるまで、汚物入り口８を介して、洗い流された汚物及び廃水を汚物保持スペース３内へ送り込むことが出来るということである。その汚物は、汚物出し口１０を介して汚物保持スペース３から取り出されるまで待機させられる。汚物保持スペース３の内部は、汚物出し口１０を介しても送られ得る水により洗浄され、その後、汚物保持スペース３からの洗浄水は、洗浄水出口１２を介して外側へ排出させられる。洗浄水保持スペース２内の水は、水出口６を介して便器洗浄のため放出される。交換される水は、水入り口４を介して外部から送り込まれて洗浄水保持スペース２内に蓄えられる。なお、図２乃至４中の黒の三角形は、洗浄水兼汚物及び廃水貯留タンク１内の水面の位置を示している。
【符号の説明】
【００２８】
１          組合せ貯留タンク
２          洗浄水保持スペース
３          汚物保持スペース
４          洗浄水入り口
５          洗浄水入り口キヤップ
６          洗浄水出口
７          洗浄水出口弁
８          汚物入口
９          汚物入口弁
１０        汚物出し口
１１        汚物出し口キャップ
１２        水出口
１３        水出口弁
１４        隔膜シート
【図１】
2017040154.tif 000003
【図２】
2017040154.tif 000004
【図３】
2017040154.tif 000005
【図４】
2017040154.tif 000006